(57)【特許請求の範囲】
【請求項１】
壁部に固定される躯体を、前記壁部に固定する前に一時的に前記壁部に対して仮支持可能な躯体の支持構造であって、
前記躯体を前記壁部に対して回動可能に支承する回動支承部と、
一端部が前記回動支承部に支承される前記躯体の部分とは異なる前記躯体の一部に係止されると共に、他端部が前記壁部に係止されることにより、前記躯体の一部と前記壁部とが離間する仮支持位置であって前記壁部に前記躯体が固定される固定位置とは異なる仮支持位置に、前記躯体を仮支持する仮支持部材と、を備え、
前記躯体は建築物の前記壁部に固定可能な構造体であり、
前記仮支持部材は、前記仮支持位置に前記躯体が仮支持されているときと、前記固定位置に前記躯体が固定されているときとの両方において、前記躯体に係止されている、躯体の支持構造。
【請求項２】
前記仮支持部材の一端部は、前記躯体の上部に係止され、前記仮支持部材の他端部は、前記壁部に形成された開口部の周縁部に係止され、
前記回動支承部は、
前記躯体の下部に設けられ、被係止凹部を有する躯体側被支持部材と、
前記開口部の周縁部の下部に設けられ、前記被係止凹部に係止可能な周縁部側支持部と、を備え、
前記被係止凹部に前記周縁部側支持部が係止されているときに、前記躯体は、前記仮支持位置にあり、前記躯体が前記固定位置にあるときには、前記被係止凹部から前記周縁部側支持部が外れて、前記周縁部側支持部は前記躯体に形成された溝に収容される請求項１に記載の、躯体の支持構造。
【請求項３】
前記躯体側被支持部材は、前記躯体の背面よりも前記躯体の後方へ突出している、請求項２に記載の躯体の支持構造。
【請求項４】
前記壁部の開口部の周縁部は挿入孔を有し、
前記躯体の周縁部は、前記周縁部から突出する突出部材を有し、
前記躯体が前記仮支持位置にあるときに、前記被係止凹部に係止された前記周縁部側支持部を回動軸として前記躯体を回動させることにより、前記突出部材は、前記挿入孔に挿入される位置関係を有する、請求項２又は請求項３に記載の躯体の支持構造。
【発明の詳細な説明】
【技術分野】
【０００１】
本発明は、躯体を壁部に固定する際に、躯体を壁部に一時的に仮支持させる、躯体の支持構造に関する。
【背景技術】
【０００２】
従来より、浴室の壁部に固定される、躯体を有する浴室テレビが知られている。浴室テレビは、浴室の壁部にビス止めされ、浴室の壁部から出っ張った状態で浴室の壁部に固定されて取り付けられる。また、浴室の壁部に形成された開口部に浴室テレビが嵌め込まれて固定される固定構造が知られている（例えば、特許文献１、特許文献２参照）。
【先行技術文献】
【特許文献】
【０００３】
【特許文献１】特開２００１−２５２２１２号公報
【特許文献２】特開２００１−３２７４２８号公報
【発明の概要】
【発明が解決しようとする課題】
【０００４】
浴室テレビを浴室の壁部に固定する際には、浴室の壁部側のケーブルやコードを、浴室テレビに接続する必要がある。しかし、従来では、浴室テレビを壁部に固定する作業者の内の１人が浴室テレビを壁部に近づけた状態で支持し、他の作業者が、浴室の壁部側のケーブルやコードを、浴室テレビに接続する必要があり、作業性が悪かった。
【０００５】
本発明は、浴室テレビを浴室の開口に形成された壁部に固定する際に、浴室テレビを浴室の壁部に固定する前に、浴室テレビを浴室の壁部の開口の近傍に一時的に仮支持した状態とすることができる浴室テレビの支持構造を提供することを目的とする。
【課題を解決するための手段】
【０００６】
上記目的を達成するため、本発明の、壁部（例えば、後述の壁部３０）に固定される躯体（例えば、後述の躯体２０１）を、前記壁部に固定する前に一時的に前記壁部に対して仮支持可能な躯体の支持構造は、前記躯体を前記壁部に対して回動可能に支承する回動支承部（例えば、後述の被係止凹部２６１、周縁部側支持部３１３）と、一端部が前記回動支承部に支承される前記躯体の部分とは異なる前記躯体の一部に係止されると共に、他端部が前記壁部に係止されることにより、前記躯体の一部と前記壁部とが離間する仮支持位置であって前記壁部に前記躯体が固定される固定位置とは異なる仮支持位置に、前記躯体を仮支持する仮支持部材（例えば、後述のワイヤ６１）を備えている。
【０００７】
前記仮支持部材の一端部は、前記躯体の上部に係止され、前記仮支持部材の他端部は、前記壁部に形成された開口部（例えば、後述の開口部３０１）の周縁部に係止され、前記回動支承部は、前記躯体の下部に設けられ、被係止凹部（例えば、後述の被係止凹部２６１）を有する躯体側被支持部材（例えば、後述の取り付け用板状金具２６）と、前記開口部の周縁部の下部に設けられ、前記被係止凹部に係止可能な周縁部側支持部（例えば、後述の周縁部側支持部３１３）と、を備え、前記被係止凹部に前記周縁部側支持部が係止されているときに、前記躯体は、前記仮支持位置にあり、前記躯体が前記固定位置にあるときには、前記被係止凹部から前記周縁部側支持部が外れて、前記周縁部側支持部は前記躯体に形成された溝に収容されることが好ましい。
【０００８】
また、前記躯体側被支持部材は、前記躯体の背面よりも前記躯体の後方へ突出していることが好ましい。
【０００９】
また、前記壁部の開口部の周縁部は挿入孔（例えば、後述の貫通孔３２２）を有し、前記躯体の周縁部は、前記周縁部から突出する突出部材（例えば、後述の凸状金具２４）を有し、前記躯体が前記仮支持位置にあるときに、前記被係止凹部に係止された前記周縁部側支持部を回動軸として前記躯体を回動させることにより、前記突出部材は、前記挿入孔に挿入される位置関係を有することが好ましい。
【発明の効果】
【００１０】
本発明によれば、浴室テレビを浴室の開口に形成された壁部に固定する際に、浴室テレビを浴室の壁部に固定する前に、浴室テレビを浴室の壁部の開口の近傍に一時的に仮支持した状態とすることができる浴室テレビの支持構造を提供することができる。
【図面の簡単な説明】
【００１１】
【図１】本発明の一実施形態に係る、躯体の支持構造を有する浴室１を示す概略図である。
【図２】本発明の一実施形態に係る、躯体の支持構造を有する浴室１の開口部３０１を示す概略図である。
【図３】本発明の一実施形態に係る、躯体の支持構造を有する浴室１の、壁部３０に浴室テレビ２０が固定されている様子を示す断面図である。
【図４】本発明の一実施形態に係る、躯体の支持構造を有する浴室１の、壁部３０に固定されている浴室テレビ２０の下部を示す断面図である。
【図５】本発明の一実施形態に係る、躯体の支持構造を有する浴室１の、壁部３０に固定されている浴室テレビ２０の上部を示す断面図である。
【図６】本発明の一実施形態に係る、躯体の支持構造を有する浴室１の、壁部３０に固定されている浴室テレビ２０の側部を示す断面図である。
【図７】本発明の一実施形態に係る、躯体の支持構造の凸状金具２４を示す斜視図である。
【図８】本発明の一実施形態に係る、躯体の支持構造を有する浴室１において、浴室テレビ２０が仮支持されている様子を示す断面図である。
【図９】本発明の一実施形態に係る、躯体の支持構造を有する浴室１において、仮支持されている浴室テレビ２０の下部を示す断面図である。
【図１０】本発明の一実施形態に係る、躯体の支持構造を有する浴室１において、仮支持されている浴室テレビ２０の上部を示す断面図である。
【発明を実施するための形態】
【００１２】
以下、本発明の一実施形態について、図１〜図１０を参照しながら説明する。
図１は、本発明の一実施形態に係る、躯体の支持構造を有する浴室１を示す概略図である。図２は、本発明の一実施形態に係る、躯体の支持構造を有する浴室１の開口部３０１を示す概略図である。図３は、本発明の一実施形態に係る、躯体の支持構造を有する浴室１の、壁部３０に浴室テレビ２０が固定されている様子を示す断面図である。図４は、本発明の一実施形態に係る、躯体の支持構造を有する浴室１の、壁部３０に固定されている浴室テレビ２０の下部を示す断面図である。
【００１３】
また、図５は、本発明の一実施形態に係る、躯体の支持構造を有する浴室１の、壁部３０に固定されている浴室テレビ２０の上部を示す断面図である。図６は、本発明の一実施形態に係る、躯体の支持構造を有する浴室１の、壁部３０に固定されている浴室テレビ２０の側部を示す断面図である。図７は、本発明の一実施形態に係る、躯体の支持構造の凸状金具２４を示す斜視図である。図８は、本発明の一実施形態に係る、躯体の支持構造を有する浴室１において、浴室テレビ２０が仮支持されている様子を示す断面図である。図９は、本発明の一実施形態に係る、躯体の支持構造を有する浴室１において、仮支持されている浴室テレビ２０の下部を示す断面図である。図１０は、本発明の一実施形態に係る、躯体の支持構造を有する浴室１において、仮支持されている浴室テレビ２０の上部を示す断面図である。
【００１４】
以下の説明では、浴室１の浴槽１１を左手に、洗い場１２を右手に見た視野の手前側（図１における左下方向）を前方向と定義し、奥側を後方向と定義し、これらを前後方向と定義する。また、浴室１の床１３から天井（図示せず）へ向う方向（図１における上方向）を上方向と定義し、その反対の方向を下方向と定義し、これらを上下方向と定義する。また、洗い場１２から浴槽１１に向かう方向（図１における左上方向）を左方向と定義し、その反対の方向を右方向と定義し、これらを左右方向と定義する。
【００１５】
本実施形態では、躯体２０１は、浴室テレビ２０を構成し、躯体の支持構造によって仮支持され、また、躯体の固定構造によって、浴室１の壁部３０に固定される。躯体の固定構造は、被係合部材としての開口周縁金具３１、３２と、係合部材、突出部材としての凸状金具２４と、躯体側被支持部材としての取り付け用板状金具２６と、を有している。躯体の支持構造は、仮支持部材としてのワイヤ６１と、回動支承部としての被係止凹部２６１、周縁部側支持部３１３と、躯体側被支持部材としての取り付け用板状金具２６と、周縁部側支持部３１３を有する開口周縁金具３１、３２と、を有している。
【００１６】
図１に示すように、浴室１の内部には、浴槽１１と洗い場１２が設けられている。浴槽１１を左手に、洗い場１２を右手に見た視野での洗い場１２の奥側正面の壁部３０には、鏡１５が設けられている。鏡１５の下方には、混合水栓１６１が設置されている。混合水栓１６１にはシャワーホース１６２を介してシャワーヘッド１６３が接続されており、このシャワーヘッド１６３は、壁部３０に設けられたシャワーフック１６４に掛止可能に構成されている。浴槽１１の上方であって天井から下がった壁部３０の部分は、開口３０２（図２参照）が形成された開口部３０１を有しており、開口部３０１には、浴室テレビ２０が固定されて取り付けられている。
【００１７】
図２に示すように、浴室テレビ２０（図１等参照）が固定される壁部３０の開口部３０１には、開口周縁金具３１、３２が固定されている。開口周縁金具３１、３２は、長方形状を有する開口部３０１の開口３０２の、一対の長辺、一体の短辺にそれぞれ対応して１つずつ設けられており、それぞれ細長い略長方形状の金属板が折り曲げられて構成されている。より具体的には、前後方向及び上下方向に平行な平面で切った断面では、開口周縁金具３１、３２は、図４〜図６に示すように、壁部３０の背面に沿って開口３０２に至り、開口３０２において前方へ折れ曲がり前方へ延びている。そして開口周縁金具３１、３２は、壁部３０の前面の位置において、開口３０２の内方へ向って直角に折り曲げられて延びている。開口周縁金具３１の、このように開口３０２の内方へ向って直角に折り曲げられて延びている部分は、浴室テレビ２０の凸状金具２４が挿入される金具挿入部３１１（図２、図５参照）を構成する。また、開口周縁金具３２の、このように開口３０２の内方へ向って直角に折り曲げられて延びている部分は、浴室テレビ２０の凸状金具２４が固定される金具固定部３２１（図６参照）を構成する。
【００１８】
図２に示すように、長方形状を有する開口３０２の、一対の短辺を形成している開口部３０１の部分（開口周縁部）における壁部３０の後側には、それぞれ上下方向に延びて壁部３０を支える金属製のポスト（柱）３０４がそれぞれ配置されており、上下方向に沿って配置された開口周縁金具３２は、ポスト３０４にそれぞれ固定されている。
【００１９】
図２に示すように、長方形状を有する開口部３０１の開口３０２の４辺のうちの水平方向に延びる一対の辺に位置する金具挿入部３１１には、複数の貫通孔３１２と、貫通孔３１２よりも直径の小さい貫通孔３１５と、が形成されている。同様に、長方形状を有する開口部３０１の開口３０２の４辺のうちの垂直方向に延びる一対の辺に位置する金具固定部３２１には、浴室テレビ２０の凸状金具２４が貫通可能な複数の挿入孔としての貫通孔３２２が形成されている。
【００２０】
金具挿入部３１１においては、貫通孔３１２は、所定の間隔で６つ形成されている。金具固定部３２１においては、貫通孔３２２は、所定の間隔で４つ形成されている。長方形状を有する開口部３０１の開口３０２の水平方向に延びる一対の辺のうちの下側の辺に位置する金具挿入部３１１の上端縁部、即ち、開口部３０１の周縁部の下部に設けられた金具挿入部３１１の上端縁部は、後述の被係止凹部２６１（図４等参照）に係止可能な周縁部側支持部３１３を構成する。即ち、被係止凹部２６１、周縁部側支持部３１３は、躯体２０１を壁部３０に対して回動可能に支承する回動支承部を構成する。なお、金具挿入部３１１、金具固定部３２１には、他の用途のための貫通孔も形成されている。
【００２１】
図３、４等に示すように、浴室テレビ２０は、例えば３２インチ程度の比較的大きなモニタを有する略直方体形状の本体前部２１と、モニタに映像を出力するための電子回路等を有する略直方体形状の本体後部２２と、を有しており、これらは躯体２０１を構成する。即ち、浴室テレビ２０は、正面視で略長方形状の躯体２０１を有している。本体前部２１の前面は、壁部３０の開口３０２よりも幅及び高さが大きい長方形状のガラス板を有しており、１６ｋｇ程度の重量を有している。
【００２２】
本体前部２１の縁部の辺を構成する部分は、凸状金具２４を有している。具体的には、長方形状の本体前部２１の縁部の４つの辺のうちの水平方向に延びる一対の水平辺としての長辺のうちの上側の長辺の部分には、複数の凸状金具２４が所定の間隔で溶接により固定されている。長方形状の本体前部２１の４つの辺のうちの垂直方向に延びる一対の垂直辺としての短辺の部分には、それぞれ複数の凸状金具２４が所定の間隔で溶接により固定されている。これらの凸状金具２４は、本体前部２１の縁部から後方へ突出しており、後述のように、固定位置に浴室テレビ２０が固定されたときに、金具固定部３２１の貫通孔３２２に挿入される位置関係を有している。また、長方形状の本体後部２２の縁部の４つの辺のうちの水平方向に延びる一対の長辺のうちの下側の長辺の部分には、凸状金具２４は設けられておらず、取り付け用板状金具２６が固定されている。また、長方形状の本体前部２１の縁部の４つの辺のうちの水平方向に延びる一対の長辺の部分には、図４、図５に示すように、パッキン２１５が固定されている。
【００２３】
図７等に示すように、凸状金具２４は、基部平板部２４１と突出係合部２４２とを有している。基部平板部２４１は、略長方形状の板状を有しており、溶接により本体前部２１の縁部の後面に固定されている。突出係合部２４２は、略円柱形状（または略円錐形状）を有する基部側部分２４３と、載頭円錐形状の側面が周方向に複数箇所において窪んだ、あたかもプラスドライバーの先端部分のような形状を有する先端側部分２４４とを有しており、基部平板部２４１の表面に直交する方向へ基部平板部２４１の表面から延出している。基部平板部２４１に接続されている基部側部分２４３の部分の下部には、基部側部分２４３の下端から上方へ切り欠いたような形状を有する固定用凹部２４５が形成されている。
【００２４】
後述のように、固定位置に浴室テレビ２０が固定されたときに、凸状金具２４は、金具固定部３２１の貫通孔３２２、金具挿入部３１１の貫通孔３１２に挿入されるのであるが、そのうちの、本体前部２１の４つの辺のうちの垂直方向に延びる一対の短辺の部分に設けられた凸状金具２４の固定用凹部２４５には、金具固定部３２１の貫通孔３２２を形成している周縁部が係合可能である。この係合により、凸状金具２４が金具固定部３２１に固定され、これにより、躯体２０１を有する浴室テレビ２０は、浴室１の壁部３０の開口３０２を塞ぐように、浴室１の壁部３０に固定される。
【００２５】
取り付け用板状金具２６は、細長い略長方形状の金属板が折り曲げられて構成されており、躯体２０１の下部、より具体的には、本体後部２２の下端面の左端部から右端部に至るまでの部分に設けられている。取り付け用板状金具２６は、前後方向及び上下方向に平行な断面においては、図４に示すように、本体後部２２の下端面に沿って前方へ延び、この部分が本体後部２２の下端面に固定され、本体前部２１の後面よりも後方の位置において下方向へ折れ曲がり、下方向へ延びている。そして、取り付け用板状金具２６は、後方向へ折れ曲がり後方へ延び、所定の位置で折れ曲がり斜め後方の下方へ向って延びている。当該所定の位置において折れ曲がっている取り付け用板状金具２６の部分は、図４に示すように、上に凸形状を有する「く」の字形状を有しているため、上方へ凹んだ被係止凹部２６１を構成する。即ち、取り付け用板状金具２６は、被係止凹部２６１を有している。取り付け用板状金具２６は、図４等に示すように、本体後部２２の背面よりも後方へ突出している。図４、図９に示すように、取り付け用板状金具２６の前端面と本体前部２１との間には、溝２０３が形成されている。
【００２６】
ワイヤ６１は、２本設けられている。ワイヤ６１の一端部は、躯体２０１の一部としての本体後部２２の上部に係止され、ワイヤ６１の他端部は、壁部３０に形成された開口部３０１の周縁部に係止される。
より具体的には、ワイヤ６１の一端部は、結ばれて環状とされ、環状の部分が、浴室テレビ２０の本体後部２２の左右方向における両端部にそれぞれ設けられたフック部２２３に掛けられて固定されることにより係止される。ワイヤ６１の他端部は、壁部３０の、長方形状を有する開口部３０１の開口３０２の水平方向に延びる一対の辺のうちの上側の辺に位置する金具挿入部３１１の、左右両端の貫通孔３１２に通されて、結ばれて固定されることによりそれぞれ係止される。これにより、後述のように浴室テレビ２０を壁部３０に固定する際に、浴室テレビ２０が壁部３０に固定される固定位置とは異なる仮支持位置、即ち、図８に示すように、浴室テレビ２０を、浴室テレビ２０の前面が斜め前方の下方を向き、浴室テレビ２０の上部と壁部３０とが離間した状態の仮支持位置に、一時的に仮支持するように構成されている。
【００２７】
次に、浴室テレビ２０の壁部３０への固定について説明する。
先ず、ワイヤ６１の他端部を、壁部３０の、長方形状を有する開口部３０１の開口３０２の水平方向に延びる一対の辺のうちの上側の辺に位置する金具挿入部３１１の、左右両端の貫通孔３１２に通して、それぞれ係止する。次に、浴室テレビ２０の取り付け用板状金具２６の被係止凹部２６１に、壁部３０の開口部３０１の周縁部側支持部３１３を係止させ、周縁部側支持部３１３に浴室テレビ２０が支持された状態とする。この状態では、浴室テレビ２０は、前後方向及び上下方向に平行な断面において、被係止凹部２６１に係止されている周縁部側支持部３１３の先端を中心として、浴室テレビ２０が前方へ倒れる方向、又は、浴室テレビ２０の前面が垂直となる状態に近づく方向へ回動可能である。
【００２８】
次に、浴室テレビ２０を、被係止凹部２６１に係止されている周縁部側支持部３１３の先端を中心として回動させて浴室テレビ２０の上端部を壁部３０の開口部３０１の上部に接近させてゆき、ワイヤ６１の一端部を、浴室テレビ２０の本体後部２２の左右方向における両端部に設けられたフック部２２３に係止させる。これにより、図８に示すように、浴室テレビ２０は、浴室テレビ２０の前面が斜め前方の下方を向いた状態の仮支持位置に、一時的に仮支持される。
【００２９】
次に、浴室テレビ２０を、被係止凹部２６１に係止されている周縁部側支持部３１３の先端を中心として回動させて浴室テレビ２０の上端部を壁部３０の開口部３０１の上部に更に接近させてゆく。すると、前後方向において、金具固定部３２１の貫通孔３２２に凸状金具２４の先端部が対向する位置関係となり、貫通孔３２２に凸状金具２４を挿入可能な位置関係となる。この状態の姿勢を浴室テレビ２０が保ったまま、浴室テレビ２０を壁部３０に固定する作業者が、浴室テレビ２０を壁部３０へ向かって押しつけるように押して移動させることにより、凸状金具２４は。金具固定部３２１の貫通孔３２２に挿入されてゆく。そして、長方形状を有する開口部３０１の開口３０２の４辺のうちの垂直方向に延びる一対の短辺に位置する金具固定部３２１の貫通孔３２２の周縁部分に、凸状金具２４の突出係合部２４２の基部側部分２４３の下部が、支持された状態となる。なお、金具挿入部３１１の貫通孔３１２においては、凸状金具２４の突出係合部２４２が挿入された状態になっているが、凸状金具２４の突出係合部２４２は、金具挿入部３１１の貫通孔３１２の周縁部分には接触していない。
【００３０】
そして、更に作業者が、浴室テレビ２０を後方へ押して、パッキン２１５を本体前部２１と壁部３０とで圧縮するようにして移動させることにより、躯体２０１の自重が作用して凸状金具２４の固定用凹部２４５の部分は躯体２０１と共に下方へ移動して、長方形状を有する開口部３０１の開口３０２の４辺のうちの垂直方向に延びる一対の短辺に位置する金具固定部３２１の貫通孔３２２の周縁部分に係合する。このとき、図４等に示すように、周縁部側支持部３１３は、被係止凹部２６１から外れた状態になっており、取り付け用板状金具２６の前端面と本体前部２１との間に形成された溝２０３に入り、取り付け用板状金具２６、本体前部２１、及び、本体後部２２のいずれとも当接していない状態で収容される。このとき浴室テレビ２０は固定位置にあり、浴室１の壁部３０に固定される。そして、図４、図５に示すように、本体前部２１と壁部３０との間にシーリング材２１６を挿入することにより、本体前部２１と壁部３０との間がシールされた状態とされる。
【００３１】
上記構成の実施形態による、躯体の固定構造によれば、以下のような効果を得ることができる。
躯体２０１を有する浴室テレビ２０を浴室１の壁部３０に固定するための躯体の固定構造は、壁部３０に固定される被係合部材としての開口周縁金具３２と、躯体２０１としての本体前部２１に固定され、躯体２０１と共に下方向に移動して開口周縁金具３２に係合して躯体２０１を壁部３０の所定の固定位置に保持する係合部材としての凸状金具２４と、を備える。
【００３２】
この構成により、ビス等を用いずに、躯体２０１の自重を利用して、容易に壁部３０に質量の大きな躯体２０１としての浴室テレビ２０を、壁部３０の開口３０２に対して正面（前方）から取付けて固定することができる。また、壁部３０の強度が低下したり、壁部３０に固定された石膏ボードのねじれやゆがみが発生したりすることを抑え、壁部３０の壁厚が増すことを抑えることができる。このため、施工が難しくなることを回避することができる。また、ビス等が浴室１内に突出することを防止することができ、外観不良となることを防ぐことができる。また、このためビスを隠すためのフレーム等を不要とすることができ、また、浴室１内へ突出する浴室テレビ２０の部分の厚みが大きくなることを抑えることができる。
【００３３】
また、係合部材は、躯体２０１から突出する突出部材としての凸状金具２４により構成され、突出部材としての凸状金具２４の基部の下部は、固定用凹部２４５を有する。被係合部材としての金具固定部３２１の貫通孔３２２の周縁部分は、躯体２０１が固定位置にあるときに、固定用凹部２４５に係合する。この構成により、ビス等を用いずに、躯体２０１の自重を利用して、容易に壁部３０に質量の大きな躯体２０１としての浴室テレビ２０を、固定する構成を実現することができる。また、複雑な形状を有していないため、躯体の固定構造の製造を容易とすることができる。
【００３４】
躯体２０１としての本体前部２１は、水平に延びる一対の水平辺としての長辺と、一対の長辺の端部同士を接続する一対の垂直辺としての短辺と、を有する長方形状を有する。本体前部２１の一対の短辺は、係合部材としての凸状金具２４を有する。一対の短辺の凸状金具２４は、被係合部材としての開口周縁金具３２に係合することにより躯体２０１を有する浴室テレビ２０を固定位置に固定する。
【００３５】
この構成により、一対の短辺の凸状金具２４が係合する被係合部材としての開口周縁金具３２が金属製のポスト（柱）３０４に固定されている場合には、浴室テレビ２０をポスト３０４に強固に固定することができ、安定して浴室テレビ２０を、ポスト３０４を有する壁部３０に固定することができる。このため浴室１の壁部３０に形成された開口部３０１に浴室テレビ２０が嵌め込まれて、浴室１の壁部３０に浴室テレビ２０が固定されても、壁部３０の強度が低下する問題や、壁部３０に固定された石膏ボードのねじれやゆがみが発生することを抑えることができる。また、躯体２０１を有する浴室テレビ１の重量を支えるだけの壁厚が必要なくなり、浴室１の壁部３０の石膏ボードの厚みが増して、施工が難しくなる等の問題が生ずることを抑えることができる。また、壁部３０を薄くしても、浴室テレビ２０が浴室１の内方へ倒れる等の問題が生ずることを防止できる。
【００３６】
また、躯体２０１を有する浴室テレビ２０は、壁部３０に形成された開口部３０１の開口３０２を塞ぐように壁部３０に固定される。躯体２０１としての本体後部２２の下部に設けられ、被係止凹部２６１を有する躯体側被支持部材としての取り付け用板状金具２６と、開口部３０１の周縁部の下部に設けられ、被係止凹部２６１に係止可能な周縁部側支持部３１３としての開口周縁金具３１と、を備える。被係止凹部２６１に開口周縁金具３１が係止されているときに、躯体２０１を有する浴室テレビ２０は、仮支持位置にあり、躯体２０１を有する浴室テレビ２０が固定位置にあるときには、被係止凹部２６１から開口周縁金具３１が外れて、開口周縁金具３１の周縁部側支持部３１３は、躯体２０１に形成された溝２０３に収容される。
【００３７】
この構成により、仮固定位置を固定位置とは異なる位置とし、仮固定位置から移動してゆき、躯体２０１を有する浴室テレビ２０の自重が作用して固定位置に配置されることを可能とすることができる。また、仮支持に用いられた開口周縁金具３１の周縁部側支持部３１３は、浴室テレビ２０が固定位置に固定される際に邪魔になることを回避できる。また、溝２０３内に開口周縁金具３１の周縁部側支持部３１３が収容されているため、浴室テレビ２０の下部に対して前後方向へ押圧する力が作用した場合であっても、開口周縁金具３１の周縁部側支持部３１３が、溝２０３を形成する取り付け用板状金具２６の前端面や本体前部２１の後面に当接して、浴室テレビ２０の下部の位置決めをすることができる。
【００３８】
また、壁部３０に固定される躯体２０１としての浴室テレビ２０を、壁部３０に固定する前に一時的に壁部３０に対して仮支持可能な躯体の支持構造は、躯体２１を壁部３０に対して回動可能に支承する回動支承部（被係止凹部２６１、周縁部側支持部３１３）と、一端部が回動支承部に支承される躯体２０１の部分とは異なる、躯体２０１としての本体後部２２の一部に係止されると共に、他端部が壁部３０に固定された開口周縁金具３１に係止されることにより、躯体２０１の一部と壁部３０とが離間する仮支持位置であって壁部３０に躯体２０１が固定される固定位置とは異なる仮支持位置に、躯体２０１を仮支持する仮支持部材としてのワイヤ６１を備える。
【００３９】
この構成により、躯体２０１を有する浴室テレビ２０を、壁部３０に固定する前に、壁部３０から浴室テレビ２０の上部が離間した仮支持位置に仮支持した状態を維持することができるため、この状態で、壁部３０に浴室テレビ２０を固定する作業者は、１人で壁部３０の側のコードやケーブルの端部を、浴室テレビ２０に容易に接続することができる。また、振動や、誤って浴室テレビ２０が持ち上げられることにより、万が一、凸状金具２４の固定用凹部２４５への、金具固定部３２１の貫通孔３２２の周縁部分の係合が外れた場合であっても、固定用凹部２４５に開口周縁金具３２の周縁部側支持部３１３がすぐに係止され、また、浴室テレビ２０が前方へ倒れてきた場合であっても、ワイヤ６１によって浴室テレビ２０は壁部３０に吊られた状態になり仮支持位置に浴室テレビ２０が配置されやすくなっているため、浴室テレビ２０が壁部３０に対して大きく傾くことを抑制できる。
【００４０】
また、躯体側被支持部材としての取り付け用板状金具２６は、躯体２０１の背面としての本体後部２２の背面よりも、本体後部２２の後方へ突出している。この構成により、壁部３０に浴室テレビ２０を固定する作業者は、本体後部２２の背面の上方から、本体後部２２の下部を目視することにより、取り付け用板状金具２６の位置を確認しながら、容易に浴室テレビ２０を仮支持位置に仮支持させることができる。
【００４１】
また、壁部３０の開口部３０１の周縁部を構成する開口周縁金具３２は挿入孔としての貫通孔３２２を有する。躯体２０１としての本体前部２１の周縁部は、周縁部から突出する突出部材としての凸状金具２４を有する。躯体２０１を有する浴室テレビ２０が仮支持位置にあるときに、被係止凹部２６１に係止された周縁部側支持部３１３を回動軸として、躯体２０１を有する浴室テレビ２０を回動させることにより、凸状金具２４は、貫通孔３２２に挿入される位置関係を有する。
【００４２】
この構成により、壁部３０に浴室テレビ２０を固定する作業者は、浴室テレビ２０を仮支持位置に仮支持させた状態とした後に、後方へ浴室テレビ２０を押して、被係止凹部２６１に当接して係止された周縁部側支持部３１３の先端部を中心として回動させた後に、浴室テレビ２０を壁部３０へ向かって押しつけるように押して移動させることにより、容易に、凸状金具２４を貫通孔３２２に挿入させることができる。この結果、容易に浴室テレビ２０を固定位置へ移動させることができ、壁部３０に固定することができる。
【００５０】
本発明は上記実施形態に限定されるものではなく、本発明の目的を達成できる範囲での変形、改良等は本発明に含まれる。
例えば、躯体、被係合部材、周縁部側支持部、係合部材、突出部材、躯体側被支持部材、躯体の支持構造、躯体の固定構造は、上記実施形態における開口周縁金具３２、凸状金具２４Ａ、取り付け用板状金具２６、ワイヤ６１、開口周縁金具３２等の構成に限定されない。
【００５１】
従って、例えば、躯体２０１は、浴室テレビ２０を構成したが、浴室テレビ２０に限定されず、例えば、板状のガラス等を有する比較的大きな重量を有する構造体であって壁部３０に固定される構造体を構成してもよい。また、躯体２０１は、ポスト３０４に固定された金具固定部３２１に固定されたが、この構成に限定されない。従って、本体前部２１の４つの辺のうちの水平方向に延びる長辺の部分に設けられた凸状金具２４が壁部３０に固定されてもよい。また、壁部は、浴室１の壁部３０に限定されない。
【００５２】
また、本実施形態では、ワイヤ６１の一端部は、結ばれて環状とされ、環状の部分が、浴室テレビ２０の本体後部２２の左右方向における両端部にそれぞれ設けられたフック部２２３に掛けられて固定されることにより係止されていた。また、ワイヤ６１の他端部は、壁部３０の、長方形状を有する開口部３０１の開口３０２の水平方向に延びる一対の辺のうちの上側の辺に位置する金具挿入部３１１の、左右両端の貫通孔３１２に通されて、結ばれて固定されることによりそれぞれ係止されていた。しかし、係止の構成は、これらの係止の構成に限定されない。例えば、ワイヤの端部にフックが設けられていて、躯体にフックが引っ掛けられるようにして係止されてもよいし、躯体に短い固定用ワイヤが固定されていて、固定用ワイヤにワイヤの端部が結ばれることにより、ワイヤの端部が固定用ワイヤを介して躯体に係止されてもよい。
【００５３】
また、基部平板部２４１に接続されている基部側部分２４３の下部には、基部側部分２４３の下端から上方へ切り欠いたような形状を有する固定用凹部２４５が形成されていたが、この構成に限定されない。例えば、躯体と凸状金具と間に溝が形成され、当該溝に、金具固定部３２１の貫通孔３２２の周縁部が係合してもよい。
【００５４】
また、ワイヤ６１は、２本設けられていたが、２本に限定されない。例えば、２本のうちのいずれか１本のみが設けられてもよい。また、ワイヤ６１は、貫通孔３１２に通されて係止されたが、この構成に限定されない。例えば、ワイヤ６１は、貫通孔３１２よりも直径の小さい貫通孔３１５に通されて係止されてもよい。このようにすることで、凸状金具２４については、直径の大きい貫通孔３１２へ通し、ワイヤ６１については、直径の小さい貫通孔３１５へ通すという具合に、直径の大小異なる貫通孔３１２、３１５を使い分けることができ、貫通孔３１２、３１５への通し間違えの発生を抑えることができる。
【符号の説明】
【００５５】
２４…凸状金具（係合部材、突出部材）
２６…取り付け用板状金具（躯体側被支持部材）
３０…壁部
３２…開口周縁金具（被係合部材）
６１…ワイヤ（仮支持部材）
２０１…躯体
２４５…固定用凹部（凹部）
２６１…被係止凹部
３１３…周縁部側支持部
３２２…貫通孔（挿入孔）
【図１】
0006625414.tif 000002
【図２】
0006625414.tif 000003
【図３】
0006625414.tif 000004
【図４】
0006625414.tif 000005
【図５】
0006625414.tif 000006
【図６】
0006625414.tif 000007
【図７】
0006625414.tif 000008
【図８】
0006625414.tif 000009
【図９】
0006625414.tif 000010
【図１０】
0006625414.tif 000011